(57)【要約】【課題】  画素間の表示ムラを防ぐことのできる電気光学装置及び電子機器を提供する。【解決手段】  選択信号Ｓ１〜Ｓ３を生成するタイミング発生回路２０の出力端子Ｔｏ１ａ〜Ｔｏ３ａはデータ線選択回路４０の中央位置にそれぞれ形成され、その出力端子Ｔｏ１ａ〜Ｔｏ３ａから第１〜第３信号供給線ＤＬ１〜ＤＬ３に対応する選択信号Ｓ１〜Ｓ３がそれぞれ供給される。各デマルチプレクサＭＰ１〜ＭＰｍにはそれぞれ入力端子Ｔｉ１〜Ｔｉ３が形成されており、第１〜第３信号供給線ＤＬ１〜ＤＬ３に接続されている。そして、出力端子Ｔｏ１ａ〜Ｔｏ３ａから最も離れたデマルチプレクサまでの配線長を最も短くして、選択信号Ｓ１〜Ｓ３のパルス波形の鈍り度合いを全体として小さく抑える。その結果、選択信号Ｓ１〜Ｓ３のパルス波形の鈍り度合いで変動する各デマルチプレクサＭＰ１〜ＭＰｍの第１〜第３スイッチをオン状態にする時間の差を小さくする。【選択図】      図６
2005084196.tif 000002
【特許請求の範囲】
【請求項１】
複数の走査線と、
複数のデータ線と、
前記走査線と前記データ線との交差部に対応して設けられて電気光学素子を含む画素回路と、
入力される選択信号に基づいて所定本数の前記データ線から選択した１本のデータ線に画像信号を供給するデマルチプレクサを複数備えたデータ線選択回路と、
前記デマルチプレクサの配置方向に延在するように前記データ線選択回路に隣接して配設され、前記選択信号を前記各デマルチプレクサに供給する信号供給線と、
少なくとも前記信号供給線の両端部以外に接続され、前記選択信号を前記信号供給線に供給する配線と
を備えたことを特徴とする電気光学装置。
【請求項２】
請求項１に記載の電気光学装置において、
前記配線が前記信号供給線のほぼ中間位置に接続されていることを特徴とする電気光学装置。
【請求項３】
請求項１又は２に記載の電気光学装置において、
前記信号供給線の両端部のいずれか一方に、前記選択信号を当該信号供給線に供給する第２の配線が接続されていることを特徴とする電気光学装置。
【請求項４】
請求項１又は２に記載の電気光学装置において、
前記信号供給線の両端部には、前記選択信号を当該信号供給線に供給する第２及び第３の配線が接続されていることを特徴とする電気光学装置。
【請求項５】
請求項１乃至４のいずれか１項に記載の電気光学装置を具備することを特徴とする電子機器。
【発明の詳細な説明】
【技術分野】
【０００１】
本発明は、電気光学装置及び電子機器に関する。
【背景技術】
【０００２】
従来、電気光学装置として、液晶素子からなる液晶表示装置、有機エレクトロルミネッセンス素子からなる有機エレクトロルミネッセンス表示装置、電気泳動素子からなる電気泳動装置等がある。これら電気光学装置の駆動方式としてアクティブマトリクス型のものがある。アクティブマトリクス型表示装置は、複数の走査線と複数のデータ線を備え、データ線と走査線の交差部に対応して、画素がマトリクス状に配置されている。画素は、スイッチング素子として機能するＴＦＴ、発光素子を備える。走査線が順次選択されると、当該走査線に接続されているＴＦＴがオン状態となり、データ線に供給される画像信号が画素に取込まれ、電荷が保持キャパシタに蓄積される。
【０００３】
電気光学装置の駆動回路は、データ線や走査線などに、データ信号や走査信号を所定タイミングで供給するための走査線駆動回路やデータ線駆動回路などから構成されている。このようなデータ線駆動回路として、例えば、６本のデータ線毎に、そのうちの１本のデータ線を選択する選択回路を各々設けて１本のデータ線を選択することによって、データ信号が各データ線に供給されているものがある（例えば、特許文献１）。
【特許文献１】特開２００２−２１５１１７号公報
【発明の開示】
【発明が解決しようとする課題】
【０００４】
ところで、選択回路は６個のスイッチング素子により構成されているため、データ線を選択するためには、各スイッチング素子に選択信号を供給する必要がある。選択信号は配線を介して供給されることが多いが、配線には配線抵抗と浮遊容量が分布しているので、配線は等価的に梯子型のローパスフィルタを構成している。従って、各スイッチング素子に供給される選択信号の波形は、配線が長ければ長いほど鈍ったものとなる。
【０００５】
ここで、隣接する選択回路又はスイッチング素子に供給される選択信号の波形が大きく異なると、スイッチング素子がオンする時間、即ち、データ線が選択される時間が相違する。このため、データ線を介して各画素に書き込まれる電圧値が隣接する画素間でバラつくため、表示ムラ（濃淡）が発生する。
【０００６】
本発明は上記問題点を解消するためになされたものであって、その目的は、画素間の表示ムラを防ぐことのできる電気光学装置及び電子機器を提供することにある。
【課題を解決するための手段】
【０００７】
本発明の電気光学装置は、複数の走査線と、複数のデータ線と、前記走査線と前記データ線との交差部に対応して設けられて電気光学素子を含む画素回路と、入力される選択信号に基づいて所定本数の前記データ線から選択した１本のデータ線に画像信号を供給するデマルチプレクサを複数備えたデータ線選択回路と、前記デマルチプレクサの配置方向に延在するように前記データ線選択回路に隣接して配設され、前記選択信号を前記各デマルチプレクサに供給する信号供給線と、少なくとも前記信号供給線の両端部以外に接続され、前記選択信号を前記信号供給線に供給する配線とを備えた。
【０００８】
この発明によれば、選択信号を一つの箇所から信号供給線に供給する場合、前記配線から最も離れたデマルチプレクサまでの距離（信号供給線の配線長）を短くすることができ
、最も離れたデマルチプレクサに供給される選択信号のパルス波形の鈍りを小さくできる。その結果、各デマルチプレクサにおける選択時間の差を小さくすることができ、画像信号の画素回路への書き込み時間の相違に基づいて電気光学素子のオンする時間が異なることに起因する表示ムラ（濃淡）を最小限に抑えることができ、表示品位の向上を図ることができる。
【０００９】
この電気光学装置において、前記配線が前記信号供給線のほぼ中間位置に接続されていてもよい。
この発明によれば、選択信号を一つの箇所から信号供給線に供給する場合、前記配線から最も離れたデマルチプレクサまでの距離を短くすることができ、最も離れたデマルチプレクサに供給される選択信号のパルス波形の鈍りを小さくできる。
【００１０】
この電気光学装置において、前記信号供給線の両端部のいずれか一方に、前記選択信号を当該信号供給線に供給する第２の配線が接続されていてもよい。
この発明によれば、第２の配線からも選択信号が信号供給線に供給されることから、各配線から最も離れたデマルチプレクサまでの距離をさらに短くすることができ、最も離れたデマルチプレクサに供給される選択信号のパルス波形の鈍りをさらに小さくできる。
【００１１】
この電気光学装置において、前記信号供給線の両端部には、前記選択信号を当該信号供給線に供給する第２及び第３の配線が接続されていてもよい。
この発明によれば、第２及び第３の配線からも選択信号が信号供給線に供給されることから、各配線から最も離れたデマルチプレクサまでの距離をさらに短くすることができ、最も離れたデマルチプレクサに供給される選択信号のパルス波形の鈍りをさらに小さくできる。
【００１２】
また、本発明の電子機器は、先に記載の電気光学装置を具備することを特徴とする。
この発明によれば、表示ムラ（濃淡）を最小限に抑えることができる表示部を備えた電子機器を得ることができる。
【発明を実施するための最良の形態】
【００１３】
（第１実施形態）
以下、本発明を具体化した第１実施形態を図１〜図７に従って説明する。図１は、電気光学装置として有機エレクトロルミネッセンス素子を用いた有機エレクトロルミネッセンス表示装置の電気的構成を示すブロック回路図である。図２は、表示パネル部２５の回路構成を示すブロック回路図である。図３は、画素回路５０の内部構成を示す回路図である。
【００１４】
図１において、有機エレクトロルミネッセンス表示装置１０は、画像処理回路１５、タイミング発生回路２０、表示パネル部２５、走査線駆動回路３０、データ線駆動回路３５及びデータ線選択回路４０を備えている。尚、本実施形態における有機エレクトロルミネッセンス表示装置１０は、アクティブマトリクス駆動方式である。
【００１５】
有機エレクトロルミネッセンス表示装置１０の、画像処理回路１５、タイミング発生回路２０、走査線駆動回路３０、データ線駆動回路３５及びデータ線選択回路４０は、それぞれが独立した電子部品によって構成されていてもよい。例えば、画像処理回路１５、タイミング発生回路２０、走査線駆動回路３０、データ線駆動回路３５及びデータ線選択回路４０が、各々１チップの半導体集積回路装置によって構成されていてもよい。又、画像処理回路１５、タイミング発生回路２０、走査線駆動回路３０、データ線駆動回路３５及びデータ線選択回路４０の全部若しくは一部がプログラマブルなＩＣチップで構成され、その機能がＩＣチップに書き込まれたプログラムによりソフトウェア的に実現されてもよ
い。
【００１６】
画像処理回路１５には、本実施形態では、例えば、Ｒ（赤），Ｇ（緑），Ｂ（青）を表示するデジタル入力画像データＤｉｎが入力される。そして、画像処理回路１５は、例えば有機エレクトロルミネッセンス表示装置１０に供給されるデジタル入力画像データＤｉｎにガンマ補正等を施してデジタル出力画像データＤｏｕｔを生成し、データ線駆動回路３５に出力する。
【００１７】
タイミング発生回路２０は、デジタル入力画像データＤｉｎに同期して垂直同期信号ＶＣＬＫを走査線駆動回路３０に出力するとともに、水平同期信号ＨＣＬＫをデータ線駆動回路３５に出力する。また、タイミング発生回路２０は、選択信号Ｓ１〜Ｓ３を、デジタル入力画像データＤｉｎに同期して、データ線選択回路４０に出力する。
【００１８】
表示パネル部２５は、図２に示すように、その列方向に沿って延びる３ｍ本のデータ線Ｘ１〜Ｘ３ｍ（ｍは自然数）を備えている。本実施形態では、前記データ線はＲ（赤），Ｇ（緑），Ｂ（青）を表示するデジタル入力画像データＤｉｎに対応して、３本を１組としている。また、表示パネル部２５は、その行方向に沿って延びるｎ本の走査線Ｙ１〜Ｙｎ（ｎは自然数）を備えている。ここで、前記３ｍ本のデータ線Ｘ１〜Ｘ３ｍは、この記載した順番で図２において左から右に形成されているものとする。同様に、前記ｎ本の走査線Ｙ１〜Ｙｎは、この記載した順番で図２において上から下に形成されているものとする。
【００１９】
そして、表示パネル部２５には、前記各データ線Ｘ１〜Ｘ３ｍと前記各走査線Ｙ１〜Ｙｎとの交差部に対応した位置に画素回路５０がそれぞれ配設されている。表示パネル部２５に配設される複数の画素回路５０は、本実施形態では赤（Ｒ）の画素回路５０、緑（Ｇ）の画素回路５０、青（Ｂ）の画素回路５０の３種類の画素回路からなり、各走査線Ｙ１〜Ｙｎ上には、行方向に（図２において、左から右に）、赤、緑、青の画素回路５０の順で繰り返し配設されて接続されている。従って、データ線Ｘ１，Ｘ４，Ｘ７，…，Ｘ３ｍ−２には、赤用の画素回路５０が配設され接続されている。また、データ線Ｘ２，Ｘ５，Ｘ８，…，Ｘ３ｍ−１には、緑用の画素回路５０が配設され接続されている。さらに、データ線Ｘ３，Ｘ６，Ｘ９，…，Ｘ３ｍには、青用の画素回路５０が配設され接続されている。つまり、各走査線Ｙ１〜Ｙｎ上の、順番に繰り返し配設される赤、緑、青の画素回路５０をそれぞれ一つの組とし、その組を構成する赤、緑、青の画素回路５０が１つの画素を構成している。
【００２０】
前記各画素回路５０は、それぞれ対応する前記データ線Ｘ１〜Ｘ３ｍを介してデータ線選択回路４０に接続されている。又、各画素回路５０は、それぞれ対応する前記走査線Ｙ１〜Ｙｎを介して走査線駆動回路３０に接続されている。なお、各画素回路５０は、列方向に伸びる３ｍ本の電源線Ｌ３ｍ（ｍは自然数）と接続されている。従って、前記各画素回路５０は、それぞれ対応する電源線Ｌ１〜Ｌ３ｍを介して駆動電圧Ｖｄｄが供給される。
【００２１】
図３は、ｍ番目のデータ線Ｘｍとｎ番目の走査線Ｙｎとの交差部にそれぞれ対応して配設された画素回路５０の内部構成を示す回路図である。画素回路５０は、２個のトランジスタと１つの容量素子と１つの電気光学素子としての有機エレクトロルミネッセンス素子とから構成されている。詳述すると、画素回路５０は、駆動トランジスタＱｄ、スイッチングトランジスタＱｓｗ、保持キャパシタＣｏ及び有機エレクトロルミネッセンス素子ＯＬＥＤを備えている。駆動トランジスタＱｄはＰ型ＴＦＴであり、スイッチングトランジスタＱｓｗはＮ型ＴＦＴである。また、電子素子または発光素子としての有機エレクトロルミネッセンス素子ＯＬＥＤは、その発光層が有機材料で構成されており、駆動電流Ｉｏ
ｅｌが供給されることによって発光する発光素子である。なお、ここで、赤の画素回路５０の有機エレクトロルミネッセンス素子ＯＬＥＤは、赤色の光を放射する有機材料で構成されている。緑の画素回路５０の有機エレクトロルミネッセンス素子ＯＬＥＤは、緑色の光を放射する有機材料で構成されている。青の画素回路５０の有機エレクトロルミネッセンス素子ＯＬＥＤは、青色の光を放射する有機材料で構成されている。
【００２２】
駆動トランジスタＱｄは、そのソースが駆動電圧Ｖｄｄを供給するｍ番目の電源線Ｌｍに接続されている。駆動トランジスタＱｄは、そのドレインが有機エレクトロルミネッセンス素子ＯＬＥＤの陽極Ｅ１に接続されている。有機エレクトロルミネッセンス素子ＯＬＥＤの陰極Ｅ２は接地されている。また、駆動トランジスタＱｄのゲートには、保持キャパシタＣｏの第１電極Ｄ１が接続されている。保持キャパシタＣｏの第２電極Ｄ２は電源線Ｌｍに接続されている。
【００２３】
前記スイッチングトランジスタＱｓｗのゲートはｎ番目の走査線Ｙｎに接続されている。また、前記スイッチングトランジスタＱｓｗのドレインはｍ番目のデータ線Ｘｍに接続されているとともに、ソースは駆動トランジスタＱｄのゲートに接続されている。尚、本実施形態においては、画素回路５０を、駆動トランジスタＱｄと、スイッチングトランジスタＱｓｗと、保持キャパシタＣｏと、有機エレクトロルミネッセンス素子ＯＬＥＤとで構成したが、これに限定されるものではなく、適宜変更してもよい。
【００２４】
走査線駆動回路３０は、前記タイミング発生回路２０からの垂直同期信号ＶＣＬＫに基づいて、表示パネル部２５に設けられた前記ｎ本の走査線Ｙｎのうち、１本の走査線を選択し、その選択された走査線に対応する走査信号ＳＣ１〜ＳＣｎ（ｎは自然数）を出力する。そして、これら走査信号ＳＣ１〜ＳＣｎによって、選択された走査線上の画素回路５０の保持キャパシタＣｏに対してデータ線選択回路４０を介してデータ線駆動回路３５から出力されるデータ電圧に応じた電荷を書き込むタイミング及び有機エレクトロルミネッセンス素子ＯＬＥＤが発光するタイミングが制御される。
【００２５】
データ線駆動回路３５には、タイミング発生回路２０から水平同期信号ＨＣＬＫが、画像処理回路１５からガンマ補正されたデジタル出力画像データＤｏｕｔが入力される。そして、データ線駆動回路３５は、このデジタル出力画像データＤｏｕｔに基づいて、赤用のデータ電圧ＶＤＲ１〜ＶＤＲｍ（ｍは自然数）、緑用のデータ電圧ＶＤＧ１〜ＶＤＧｍ（ｍは自然数）及び青用のデータ電圧ＶＤＢ１〜ＶＤＢｍ（ｍは自然数）を交互に生成し、データ線選択回路４０に出力する。詳述すると、データ線駆動回路３５は、デジタル出力画像データＤｏｕｔに基づいて、データ線Ｘ１，Ｘ４，Ｘ７，…，Ｘｍ−２，…，Ｘ３ｍ−２にそれぞれ出力するデータ電圧ＶＤＲ１，ＶＤＲ２，ＶＤＲ３，…，ＶＤＲｋ，…，ＶＤＲｍ（ｋ＜ｍ）を生成する。次に、データ線駆動回路３５は、デジタル出力画像データＤｏｕｔに基づいて、データ線Ｘ２，Ｘ５，Ｘ８，…，Ｘｍ−１，…，Ｘ３ｍ−１にそれぞれ出力するデータ電圧ＶＤＧ１，ＶＤＧ２，ＶＤＧ３，…，ＶＤＧｋ，…，ＶＤＧｍ（ｋ＜ｍ）を生成する。次に、データ線駆動回路３５は、デジタル出力画像データＤｏｕｔに基づいて、データ線Ｘ３，Ｘ６，Ｘ９，…，Ｘｍ，…，Ｘ３ｍにそれぞれ出力するデータ電圧ＶＤＢ１，ＶＤＢ２，ＶＤＢ３，…，ＶＤＢｋ，…，ＶＤＢｍ（ｋ＜ｍ）を生成する。これによって、一つの走査線上の各画素を構成する赤、緑、青の画素回路５０のデータ電圧が赤、緑、青の画素回路５０の順で生成し出力される。一つの走査線上の各画素のデータ電圧ＶＤＲ１〜ＶＤＲｍ，ＶＤＧ１〜ＶＤＧｍ，ＶＤＢ１〜ＶＤＢｍが生成されると、データ線駆動回路３５は、デジタル出力画像データＤｏｕｔに基づいて、次に選択される走査線上の各画素のデータ電圧が前記と同様に赤、緑、青の画素回路５０の順で生成し出力される。そして、データ線駆動回路３５が、１番目の走査線Ｙ１からｎ番目の走査線Ｙｎまでの各画素のデータ電圧ＶＤＲ１〜ＶＤＲｍ，ＶＤＧ１〜ＶＤＧｍ，ＶＤＢ１〜ＶＤＢｍを作成することによって、１フレーム分のデータ電圧が赤、緑、青毎に作成
されたことになる。
【００２６】
データ線選択回路４０は、図４に示すように、前記赤、緑、青の画素回路５０からなる画素に対応してｍ個のデマルチプレクサＭＰ１〜ＭＰｍが備えられ、その各デマルチプレクサＭＰ１〜ＭＰｍにそれぞれ対応するデータ電圧ＶＤＲ１〜ＶＤＲｍ，ＶＤＧ１〜ＶＤＧｍ，ＶＤＢ１〜ＶＤＢｍがデータ線駆動回路３５から入力される。因みに、デマルチプレクサＭＰ１には、データ線Ｘ１〜Ｘ３にそれぞれ供給するデータ電圧ＶＤＲ１，ＶＤＧ１，ＶＤＢ１が入力される。デマルチプレクサＭＰ１は、データ線Ｘ１を介してデータ線Ｘ１上の赤の画素回路５０、データ線Ｘ２を介してデータ線Ｘ２上の緑の画素回路５０、データ線Ｘ３を介してデータ線Ｘ３上の青の画素回路５０に接続されている。また、デマルチプレクサＭＰ２には、データ線Ｘ４〜Ｘ６にそれぞれ供給するデータ電圧ＶＤＲ２，ＶＤＧ２，ＶＤＢ２が入力される。デマルチプレクサＭＰ２は、データ線Ｘ４を介してデータ線Ｘ４上の赤の画素回路５０、データ線Ｘ５を介してデータ線Ｘ５上の緑の画素回路５０、データ線Ｘ６を介してデータ線Ｘ６上の青の画素回路５０に接続されている。同様に、デマルチプレクサＭＰｍには、データ線Ｘ３ｍ−２〜Ｘ３ｍにそれぞれ供給するデータ電圧ＶＤＲｍ，ＶＤＧｍ，ＶＤＢｍが入力される。デマルチプレクサＭＰｍは、データ線Ｘ３ｍ−２を介してデータ線Ｘ３ｍ−２上の赤の画素回路５０、データ線Ｘ３ｍ−１を介してデータ線Ｘ３ｍ−１上の緑の画素回路５０、データ線Ｘ３を介してデータ線Ｘ３ｍ上の青の画素回路５０に接続されている。
【００２７】
データ線選択回路４０の各デマルチプレクサＭＰ１〜ＭＰｍは、タイミング発生回路２０から選択信号Ｓ１〜Ｓ３が入力され、その選択信号Ｓ１〜Ｓ３に基づいて、データ電圧ＶＤＲ１〜ＶＤＲｍ，ＶＤＧ１〜ＶＤＧｍ，ＶＤＢ１〜ＶＤＢｍを対応するデータ線Ｘ１〜Ｘ３ｍに出力する。つまり、データ線駆動回路３５からデータ電圧ＶＤＲ１〜ＶＤＲｍが出力されているとき、タイミング発生回路２０から選択信号Ｓ１が出力されて、各デマルチプレクサＭＰ１〜ＭＰｍは、それぞれデータ線Ｘ１，Ｘ４，Ｘ７，…，Ｘ３ｍ−２を選択し、その選択したデータ線Ｘ１，Ｘ４，Ｘ７，…，Ｘ３ｍ−２に対応するデータ電圧ＶＤＲ１〜ＶＤＲｍをそれぞれ出力する。また、データ線駆動回路３５からデータ電圧ＶＤＧ１〜ＶＤＧｍが出力されているとき、タイミング発生回路２０から選択信号Ｓ２が出力されて、各デマルチプレクサＭＰ１〜ＭＰｍは、それぞれデータ線Ｘ２，Ｘ５，Ｘ８，…，Ｘ３ｍ−１を選択し、その選択したデータ線Ｘ２，Ｘ５，Ｘ８，…，Ｘ３ｍ−１に対応するデータ電圧ＶＤＧ１〜ＶＤＧｍをそれぞれ出力する。さらに、データ線駆動回路３５からデータ電圧ＶＤＢ１〜ＶＤＢｍが出力されているとき、タイミング発生回路２０から選択信号Ｓ３が出力されて、各デマルチプレクサＭＰ１〜ＭＰｍは、それぞれデータ線Ｘ３，Ｘ６，Ｘ９，…，Ｘ３ｍを選択し、その選択したデータ線Ｘ３，Ｘ６，Ｘ９，…，Ｘ３ｍに対応するデータ電圧ＶＤＢ１〜ＶＤＢｍをそれぞれ出力する。
【００２８】
つまり、データ線選択回路４０は、前記各走査線が順次選択される毎に、選択信号Ｓ１〜Ｓ３に基づいて、その選択される走査線上の各画素回路５０に供給するデータ電圧ＶＤＲ１〜ＶＤＲｍ，ＶＤＧ１〜ＶＤＧｍ，ＶＤＢ１〜ＶＤＢｍを順番に対応する前記データ線Ｘ１〜Ｘ３ｍを介して各画素回路５０に出力する。
【００２９】
図５は、デマルチプレクサＭＰ１の電気的構成を説明するための回路図を示す。なお、他のデマルチプレクサＭＰ２〜ＭＰｍもデマルチプレクサＭＰ１と同様の回路構成であるため、その図示と説明を省略する。デマルチプレクサＭＰ１は、第１スイッチＳＷ１、第２スイッチＳＷ２及び第３スイッチＳＷ３を備えている。第１〜第３スイッチＳＷ１〜ＳＷ３はアナログスイッチであって、ＴＦＴより構成されている。第１スイッチＳＷ１、第２スイッチＳＷ２及び第３スイッチＳＷ３の一方の端子は、前記データ線駆動回路３５に接続されデータ電圧ＶＤＲ１，ＶＤＧ１，ＶＤＢ１が入力される。第１スイッチＳＷ１の他方の端子はデータ線Ｘ１に接続され、第２スイッチＳＷ２の他方の端子はデータ線Ｘ２
に接続され、第３スイッチＳＷ３の他方の端子はデータ線Ｘ３に接続されている。そして、第１スイッチＳＷ１は、Ｈレベルのパルス波形の選択信号Ｓ１に応答してオンしてデータ電圧ＶＤＲ１をデータ線Ｘ１に供給する。第２スイッチＳＷ２は、Ｈレベルのパルス波形の選択信号Ｓ２に応答してオンしてデータ電圧ＶＤＧ１をデータ線Ｘ２に供給する。第３スイッチＳＷ３は、Ｈレベルのパルス波形の選択信号Ｓ３に応答してオンしてデータ電圧ＶＤＢ１をデータ線Ｘ３に供給する。なお、他のデマルチプレクサＭＰ２〜ＭＰｍについては接続されるデータ線が相違するだけで、回路構成は同じなので説明を省略する。
【００３０】
そして、走査線駆動回路３０から順番に出力される前記走査信号ＳＣ１〜ＳＣｎによって選択された走査線Ｙ１〜Ｙｎ上の各画素回路５０においては、そのスイッチングトランジスタＱｓｗがそれぞれオン状態に設定される。このことによって、データ線駆動回路３５からデータ線Ｘ１〜Ｘ３ｍを介してそれぞれの画素回路５０に出力されたデータ電圧ＶＤＲ１〜ＶＤＲｍ，ＶＤＧ１〜ＶＤＧｍ，ＶＤＢ１〜ＶＤＢｍに対応した電荷が前記スイッチングトランジスタＱｓｗを介して保持キャパシタＣｏに書き込まれる。すると、前記駆動トランジスタＱｄには、保持キャパシタＣｏに書き込まれた電荷に応じた大きさの駆動電流Ｉoｅｌが流れる。このことによって、有機エレクトロルミネッセンス素子ＯＬＥ
Ｄが前記駆動電流Ｉoｅｌ（データ電圧の値）に応じた輝度階調で発光する。
【００３１】
図６は、タイミング発生回路２０からデータ線選択回路４０のデマルチプレクサＭＰ１〜ＭＰｍに前記選択信号Ｓ１〜Ｓ３を供給する信号供給線の配線図を示す。なお、本実施形態では、タイミング発生回路２０、データ線選択回路４０及び選択信号Ｓ１〜Ｓ３を供給する信号供給線は、表示パネル部２５の基板上ではなく別の一つの基板上に形成される。
【００３２】
データ線選択回路４０は、ｎ番目の走査線Ｙｎの下側において行方向に沿って配置形成されている。従って、データ線選択回路４０のｍ個のデマルチプレクサＭＰ１〜ＭＰｍは、行方向（左右方向）に配置形成されている。そして、行方向に配置形成された各デマルチプレクサＭＰ１〜ＭＰｍに対して、列方向（上下方向）に形成されたデータ線Ｘ１〜Ｘ３ｍがそれぞれ対応するデマルチプレクサＭＰ１〜ＭＰｍに電気的に接続されている。
【００３３】
タイミング発生回路２０は、データ線選択回路４０より下側において同じく行方向に沿って配置形成されている。そして、タイミング発生回路２０は、その選択信号Ｓ１〜Ｓ３を出力する第１〜第３出力端子Ｔｏ１ａ，Ｔｏ２ａ，Ｔｏ３ａが行方向の中央位置に形成されている。
【００３４】
タイミング発生回路２０とデータ線選択回路４０（デマルチプレクサＭＰ１〜ＭＰｍ）の間には、３本の線幅及び配線長が同じ第１〜第３信号供給線ＤＬ１〜ＤＬ３が行方向に互いに一定の間隔を置いて、前記デマルチプレクサＭＰ１〜ＭＰｍの配置方向に延在するように配置形成されている。各デマルチプレクサＭＰ１〜ＭＰｍの選択信号Ｓ１を入力する第１入力端子Ｔｉ１とデータ線選択回路４０側にある第１信号供給線ＤＬ１との間には、列方向に延びる配線Ｕ１がそれぞれ電気的に接続されている。また、各デマルチプレクサＭＰ１〜ＭＰｍの選択信号Ｓ２を入力する第２入力端子Ｔｉ２と第２信号供給線ＤＬ２との間には、列方向に延びる配線Ｕ２がそれぞれ電気的に接続されている。配線Ｕ２は、第１信号供給線ＤＬ１とは絶縁層（図示せず）を介して交差しているため、配線Ｕ２と第１信号供給線ＤＬ１は、電気的に接続されることはない。また、各デマルチプレクサＭＰ１〜ＭＰｍの選択信号Ｓ３を入力する第３入力端子Ｔｉ３とタイミング発生回路２０側にある第３信号供給線ＤＬ３との間には、列方向に延びる配線Ｕ３がそれぞれ電気的に接続されている。配線Ｕ３は、第１及び第２信号供給線ＤＬ１，ＤＬ２とは図示しない絶縁層を介して交差しているため、配線Ｕ３と第１及び第２信号供給線ＤＬ１，ＤＬ２は、電気的に接続されることはない。
【００３５】
一方、タイミング発生回路２０の第１出力端子Ｔｏ１ａと第１信号供給線ＤＬ１との間には、列方向に延びる配線ＤＵ１が電気的に接続されている。配線ＤＵ１は、第２及び第３信号供給線ＤＬ２，ＤＬ３とは図示しない絶縁層を介して交差しているため、配線ＤＵ１と第２及び第３信号供給線ＤＬ２，ＤＬ３は、電気的に接続されることはない。また、タイミング発生回路２０の第２出力端子Ｔｏ２ａと第２信号供給線ＤＬ２との間には、列方向に延びる配線ＤＵ２が電気的に接続されている。配線ＤＵ２は、第３信号供給線ＤＬ３とは図示しない絶縁層を介して交差しているため、配線ＤＵ２と第３信号供給線ＤＬ３は、電気的に接続されることはない。また、タイミング発生回路２０の第３出力端子Ｔｏ３ａと第３信号供給線ＤＬ３との間には、列方向に延びる配線ＤＵ３が電気的に接続されている。
【００３６】
従って、タイミング発生回路２０の第１出力端子Ｔｏ１ａから出力される選択信号Ｓ１は、配線ＤＵ１、第１信号供給線ＤＬ１及び各配線Ｕ１を介してデマルチプレクサＭＰ１〜ＭＰｍの第１入力端子Ｔｉ１にそれぞれ供給される。また、タイミング発生回路２０の第２出力端子Ｔｏ２ａから出力される選択信号Ｓ２は、配線ＤＵ２、第２信号供給線ＤＬ２及び各配線Ｕ２を介してデマルチプレクサＭＰ１〜ＭＰｍの第２入力端子Ｔｉ２にそれぞれ供給される。また、タイミング発生回路２０の第３出力端子Ｔｏ３ａから出力される選択信号Ｓ３は、配線ＤＵ３、第３信号供給線ＤＬ３及び各配線Ｕ３を介してデマルチプレクサＭＰ１〜ＭＰｍの第３入力端子Ｔｉ３にそれぞれ供給される。
【００３７】
図７は、第１〜第３出力端子Ｔｏ１ａ〜Ｔｏ３ａからそれぞれ出力されるＨレベルのパルス波形の選択信号Ｓ１〜Ｓ３が、各デマルチプレクサＭＰ１〜ＭＰｍの第１〜第３入力端子Ｔｉ１〜Ｔｉ３に入力される際の波形図を示す。図７に示すように、第１〜第３出力端子Ｔｏ１ａ〜Ｔｏ３ａに最も近い（配線長が最も短い）位置にあるデマルチプレクサの第１〜第３入力端子Ｔｉ１〜Ｔｉ３に入力される選択信号Ｓ１〜Ｓ３のパルス波形ＰＳ１Ａ，ＰＳ２Ａ，ＰＳ３Ａは、鈍ることなく矩形波である。そして、第１〜第３出力端子Ｔｏ１ａ〜Ｔｏ３ａから最も離れた（配線長が最も長い）左右両側にあるデマルチプレクサＭＰ１，ＭＰｍの第１〜第３入力端子Ｔｉ１〜Ｔｉ３に入力される選択信号Ｓ１〜Ｓ３のパルス波形ＰＳ１Ｂ，ＰＳ２Ｂ，ＰＳ３Ｂは鈍る。この鈍りは配線長に相対する。
【００３８】
しかし、本実施形態では、タイミング発生回路２０の第１〜第３出力端子Ｔｏ１ａ〜Ｔｏ３ａをタイミング発生回路２０の中央位置に設け、第１〜第３信号供給線ＤＬ１〜ＤＬ３の中央位置から選択信号Ｓ１〜Ｓ３を各デマルチプレクサＭＰ１〜ＭＰｍに供給するようにした。従って、最も離れた位置にある左右両側にあるデマルチプレクサＭＰ１，ＭＰｍまでの配線長は、第１〜第３信号供給線ＤＬ１〜ＤＬ３の配線長のほぼ半分（正確には配線Ｕ１〜Ｕ３，ＤＵ１〜ＤＵ３を考慮する必要あり）であってそれ以上長くなることはない。つまり、第１〜第３出力端子Ｔｏ１ａ〜Ｔｏ３ａから最も離れたデマルチプレクサまでの配線長を短くすることができ、最も鈍るパルス波形ＰＳ１Ｂ，ＰＳ２Ｂ，ＰＳ３Ｂの鈍り度合いを小さく抑えることができる。
【００３９】
前記データ線駆動回路３５は、タイミング発生回路２０より下側において同じく行方向に沿って配置形成されている。そして、各デマルチプレクサＭＰ１〜ＭＰｍのデータ電圧ＶＤＲ１，ＶＤＧ１，ＶＤＢ１〜ＶＤＲｍ，ＶＤＧｍ，ＶＤＢｍを入力するデータ入力端子Ｔｉ４とデータ線駆動回路３５にあるデータ電圧ＶＤＲ１，ＶＤＧ１，ＶＤＢ１〜ＶＤＲｍ，ＶＤＧｍ，ＶＤＢｍを出力する端子間には、列方向に延びる配線Ｕ４がそれぞれ電気的に接続されている。配線Ｕ４は、第１〜第３信号供給線ＤＬ１〜ＤＬ３とは絶縁層（図示せず）を介して交差しているため、配線Ｕ４と第１〜第３信号供給線ＤＬ１〜ＤＬ３は、電気的に接続されることはない。
【００４０】
上記実施形態によれば、以下のような効果を得ることができる。
（１）上記実施形態では、データ線駆動回路３５とデータ線選択回路４０の間にタイミング発生回路２０を設けた。また、タイミング発生回路２０とデータ線選択回路４０（デマルチプレクサＭＰ１〜ＭＰｍ）の間には、第１〜第３信号供給線ＤＬ１〜ＤＬ３が配置形成されている。そして、タイミング発生回路２０は、その第１〜第３出力端子Ｔｏ１ａ〜Ｔｏ３ａをデータ線選択回路４０の行方向の中央位置に対応する位置に設け、第１〜第３信号供給線ＤＬ１〜ＤＬ３の中央位置から選択信号Ｓ１〜Ｓ３を各デマルチプレクサＭＰ１〜ＭＰｍに供給するようにした。従って、第１〜第３出力端子Ｔｏ１ａ〜Ｔｏ３ａから最も離れたデマルチプレクサまでの配線長を最も短くすることができ、選択信号Ｓ１〜Ｓ３のパルス波形の鈍り度合いを全体として小さく抑えることができる。その結果、選択信号Ｓ１〜Ｓ３のパルス波形の鈍り度合いで変動する各デマルチプレクサＭＰ１〜ＭＰｍの第１〜第３スイッチＳＷ１〜ＳＷ３をオン状態にする時間の差を小さくすることができる。
【００４１】
つまり、表示パネル部２５の行方向の画素回路５０において、そのデータ電圧の書き込み時間の差を小さくすることができるため、書き込み時間の相違に基づく表示パネル部２５の左右両側と中央位置の濃淡を最小限に抑えることができ、表示品位の向上を図ることができる。
【００４２】
（２）上記実施形態では、タイミング発生回路２０をデータ線駆動回路３５とデータ線選択回路４０の間に配置した。これにより、タイミング発生回路２０の第１〜第３出力端子Ｔｏ１ａ〜Ｔｏ３ａから各デマルチプレクサＭＰ１〜ＭＰｍの第１〜第３入力端子Ｔｉ１〜Ｔｉ３までの配線長を短縮することができる。従って、選択信号Ｓ１〜Ｓ３のパルス波形の鈍りを小さくすることができるとともに、有機エレクトロルミネッセンス表示装置１０を小型化することが可能となる。
（第２実施形態）
次に、本発明を具体化した第２実施形態について説明する。本実施形態では、第１実施形態で説明したタイミング発生回路２０の出力端子とデータ線選択回路４０の間の配線のみ第１実施形態と異なる。以下の実施形態において、前記第１の実施形態と同様の部分については、同一の符号を付し、その詳細な説明は省略する。
【００４３】
図８に示すように、本実施形態では、データ線選択回路４０の中央位置に第１実施形態と同様に中央位置第１〜第３出力端子Ｔｏ１ａ〜Ｔｏ３ａが設けられている。そして、各第１〜第３出力端子Ｔｏ１ａ〜Ｔｏ３ａは、第１実施形態と同様に、対応する第１〜第３信号供給線ＤＬ１〜ＤＬ３と、列方向に延びる配線ＤＵ１〜ＤＵ３を介してそれぞれ電気的に接続されている。
【００４４】
また、データ線選択回路４０の一端部（左側）に対応する位置に左側第１〜第３出力端子Ｔｏ１ｂ〜Ｔｏ３ｂが設けられ、データ線選択回路４０の他端部（右側）に対応する位置に右側第１〜第３出力端子Ｔｏ１ｃ〜Ｔｏ３ｃが設けられる。詳述すると、本実施形態では、左側第１〜第３出力端子Ｔｏ１ｂ〜Ｔｏ３ｂは、それぞれ対応する前記最も左側に形成されたデマルチプレクサＭＰ１の第１〜第３入力端子Ｔｉ１〜Ｔｉ３と相対向する位置に形成されている。また、右側第１〜第３出力端子Ｔｏ１ｃ〜Ｔｏ３ｃは、それぞれ対応する前記最も右側に形成されたデマルチプレクサＭＰｍの第１〜第３入力端子Ｔｉ１〜Ｔｉ３と相対向する位置に形成されている。
【００４５】
そして、左側第１〜第３出力端子Ｔｏ１ｂ〜Ｔｏ３ｂ、相対向する第１〜第３入力端子Ｔｉ１〜Ｔｉ３及び第１〜第３信号供給線ＤＬ１〜ＤＬ３との間には、それぞれ列方向に延びる対応する第２の配線、第３の配線としての配線Ｕ１ｂ〜Ｕ３ｂが電気的に接続されている。配線Ｕ２ｂは、第１信号供給線ＤＬ１とは図示しない絶縁層を介して交差してい
るため、配線Ｕ２ｂと第１信号供給線ＤＬ１は、電気的に接続されることはない。また、配線Ｕ３ｃは、第１及び第２信号供給線ＤＬ１，ＤＬ２とは図示しない絶縁層を介して交差しているため、配線Ｕ３ｃと第１及び第２信号供給線ＤＬ１，ＤＬ２は、電気的に接続されることはない。
【００４６】
一方、右側第１〜第３出力端子Ｔｏ１ｃ〜Ｔｏ３ｃ、相対向する第１〜第３入力端子Ｔｉ１〜Ｔｉ３及び第１〜第３信号供給線ＤＬ１〜ＤＬ３との間には、それぞれ列方向に延びる対応する第２の配線、第３の配線としての配線Ｕ１ｃ〜Ｕ３ｃが電気的に接続されている。配線Ｕ２ｃは、第３信号供給線ＤＬ３とは図示しない絶縁層を介して交差しているため、配線Ｕ２ｃと第３信号供給線ＤＬ３は、電気的に接続されることはない。また、配線Ｕ１ｃは、第２及び第３信号供給線ＤＬ２，ＤＬ３とは図示しない絶縁層を介して交差しているため、配線Ｕ１ｃと第２及び第３信号供給線ＤＬ２，ＤＬ３は、電気的に接続されることはない。
【００４７】
そして、タイミング発生回路２０は、これら中央位置、左側及び右側第１〜第３出力端子Ｔｏ１ａ〜Ｔｏ３ａ，Ｔｏ１ｂ〜Ｔｏ３ｂ，Ｔｏ１ｃ〜Ｔｏ３ｃから前記した選択信号Ｓ１〜Ｓ３を同じタイミングで出力する。従って、デマルチプレクサＭＰ１〜ＭＰｍは、中央位置第１〜第３出力端子Ｔｏ１ａ〜Ｔｏ３ａからの選択信号Ｓ１〜Ｓ３を入力するとともに、左側及び右側第１〜第３出力端子Ｔｏ１ｂ〜Ｔｏ３ｂ，Ｔｏ１ｃ〜Ｔｏ３ｃからの選択信号Ｓ１〜Ｓ３を入力する。
【００４８】
図９は、中央位置、左側及び右側第１〜第３出力端子Ｔｏ１ａ〜Ｔｏ３ａ，Ｔｏ１ｂ〜Ｔｏ３ｂ，Ｔｏ１ｃ〜Ｔｏ３ｃからそれぞれ出力されるＨレベルのパルス波形の選択信号Ｓ１〜Ｓ３が、各デマルチプレクサＭＰ１〜ＭＰｍの第１〜第３入力端子Ｔｉ１〜Ｔｉ３に入力される際の波形図を示す。図９に示すように、中央位置、左側又は右側第１〜第３出力端子Ｔｏ１ａ〜Ｔｏ３ａ，Ｔｏ１ｂ〜Ｔｏ３ｂ，Ｔｏ１ｃ〜Ｔｏ３ｃに近い位置にあるデマルチプレクサの第１〜第３入力端子Ｔｉ１〜Ｔｉ３に入力される選択信号Ｓ１〜Ｓ３のパルス波形ＰＳ１Ａ，ＰＳ２Ａ，ＰＳ３Ａは、鈍ることなく矩形波である。そして、反対に、最も離れた（配線長が最も長い）位置にあるデマルチプレクサは、中央位置第１〜第３出力端子Ｔｏ１ａ〜Ｔｏ３ａと左側第１〜第３出力端子Ｔｏ１ｂ〜Ｔｏ３ｂの中間位置にあるデマルチプレクサと、中央位置第１〜第３出力端子Ｔｏ１ａ〜Ｔｏ３ａと右側第１〜第３出力端子Ｔｏ１ｃ〜Ｔｏ３ｃの中間位置にあるデマルチプレクサである。そして、最も離れた位置となるデマルチプレクサの第１〜第３入力端子Ｔｉ１〜Ｔｉ３に入力される選択信号Ｓ１〜Ｓ３のパルス波形ＰＳ１Ｂ，ＰＳ２Ｂ，ＰＳ３Ｂが最も鈍ることになる。
【００４９】
しかし、本実施形態では、最も離れた位置となるデマルチプレクサまでの配線長は、前記第１実施形態のほぼ半分である。従って、最も離れたデマルチプレクサまでの配線長をさらに短くすることができ、最も鈍るパルス波形ＰＳ１Ｂ，ＰＳ２Ｂ，ＰＳ３Ｂの鈍り度合いをさらに小さく抑えることができる。その結果、表示パネル部２５の行方向の画素回路５０において、そのデータ電圧の書き込み時間の差をさらに小さくすることができるため、書き込み時間の相違に基づく表示パネル部２５の濃淡をさらに抑えることができ、表示品位をさらに向上させることができる。
（第３実施形態）
次に、第１実施形態及び第２実施形態で説明した電気光学装置としての有機エレクトロルミネッセンス素子を用いた有機エレクトロルミネッセンス表示装置１０の電子機器への適用について図１０に従って説明する。有機エレクトロルミネッセンス表示装置１０は、モバイル型パーソナルコンピュータ、携帯電話、ビューワ、ゲーム機等の携帯情報端末、電子書籍、電子ペーパー等種々の電子機器に適用できる。また、有機エレクトロルミネッセンス表示装置１０は、ビデオカメラ、デジタルスチルカメラ、カーナビゲーション、カ
ーステレオ、運転操作パネル、パーソナルコンピュータ、プリンタ、スキャナ、テレビ、ビデオプレーヤー等種々の電子機器に適用できる。
【００５０】
図１０は、モバイル型パーソナルコンピュータの構成を示す斜視図を示す。図１０において、モバイル型パーソナルコンピュータ１００は、キーボード１０１を備えた本体部１０２と、有機エレクトロルミネッセンス表示装置１０を用いた表示ユニット１０３とを備えている。この場合においても、有機エレクトロルミネッセンス表示装置１０を用いた表示ユニット１０３は前記第１実施形態及び第２実施形態と同様な効果を発揮する。この結果、モバイル型パーソナルコンピュータ１００は、表示ムラを低減し、表示品位の優れた表示を実現することができる。
【００５１】
なお、上記各実施形態は以下のように変更してもよい。
○上記各実施形態では、表示パネル部２５の外側にタイミング発生回路２０、データ線選択回路４０を設けた。これを、ＣＯＦ(Ｃｈｉｐ  Ｏｎ  Ｆｉｌｍ)やＦＰＣ(Ｆｌｅｘ
ｉｂｌｅ  Ｐｒｉｎｔ  Ｃｉｒｃｕｉｔ)等を用いて、タイミング発生回路２０、データ
線選択回路４０を表示パネル部２５上に設けるようにしてもよい。これによれば、選択信号Ｓ１〜Ｓ３の配線長を短縮することができるため、表示画質をより向上できる。
【００５２】
また、タイミング発生回路２０、データ線選択回路４０及び第１〜第３信号供給線ＤＬ１〜ＤＬ３を、表示パネル部２５の基板上に前記画素回路５０、走査線Ｙ１〜Ｙｎ、データ線Ｘ１〜Ｘ３ｍ等とともに直接作り込んでもよい。
【００５３】
○上記実施形態では、画素回路５０に具体化して好適な効果を得たが、有機エレクトロルミネッセンス素子ＯＬＥＤ以外の例えばＬＥＤやＦＥＤ等の発光素子のような電流駆動素子を駆動する単位回路に具体化してもよい。ＲＡＭ等（特にＭＲＡＭ）の記憶装置に具体化してもよい。
【００５４】
○上記実施形態では、電流駆動素子として有機エレクトロルミネッセンス素子ＯＬＥＤについて具体化したが、無機エレクトロルミネッセンス素子に具体化してもよい。つまり、無機エレクトロルミネッセンス素子からなる無機エレクトロルミネッセンス表示装置に応用しても良い。
【００５５】
○上記実施形態では、有機エレクトロルミネッセンス素子を用いた場合を例に説明したが、本発明はこれに限定されるものではなく、液晶素子、デジタルマイクロミラーデバイス（ＤＭＤ）、ＦＥＤ（Ｆｉｅｌｄ  Ｅｍｉｓｓｉｏｎ  Ｄｉｓｐｌａｙ）やＳＥＤ（Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ）等にも適用可能である。
【図面の簡単な説明】
【００５６】
【図１】第１実施形態の有機エレクトロルミネッセンス表示装置の電気的構成を示すブロック回路図。
【図２】同じく、表示パネル部の回路構成を示すブロック回路図。
【図３】同じく、画素回路の回路図。
【図４】同じく、データ線選択回路の構成を示すブロック回路図。
【図５】同じく、デマルチプレクサの回路図。
【図６】同じく、第１〜第３信号供給線とデータ線選択回路の配置を示す平面図。
【図７】同じく、選択信号の信号波形の波形図。
【図８】第２実施形態の第１〜第３信号供給線とデータ線選択回路の配置を示す平面図。
【図９】同じく、選択信号の信号波形の波形図。
【図１０】第３実施形態を説明するためのモバイル型パーソナルコンピュータの構成を示す斜視図。
【符号の説明】
【００５７】
Ｃｏ…保持キャパシタ、Ｘ３ｍ…データ線、Ｙｎ…走査線、ＯＬＥＤ…有機エレクトロルミネッセンス素子、Ｑｓｗ…スイッチングトランジスタ、Ｑｄ…駆動トランジスタ、ＭＰ１〜ＭＰｍ…デマルチプレクサ、Ｓ１〜Ｓ３…選択信号、ＳＷ１〜ＳＷ３…第１〜第３スイッチ、ＤＬ１〜ＤＬ３…第１〜第３信号供給線、ＤＵ１〜ＤＵ３…配線、Ｕ１〜Ｕ４…配線、Ｕ１ｂ〜Ｕ３ｂ…配線、Ｕ１ｃ〜Ｕ３ｃ…配線、Ｔｉ１〜Ｔｉ３…第１〜第３入力端子、Ｔｏ１ａ〜Ｔｏ３ａ，Ｔｏ１ｂ〜Ｔｏ３ｂ，Ｔｏ１ｃ〜Ｔｏ３ｃ…第１〜第３出力端子、１０…有機エレクトロルミネッセンス表示装置、１５…画像処理回路、２０…タイミング発生回路、２５…表示パネル部、３０…走査線駆動回路、３５…データ線駆動回路、４０…データ線選択回路、５０…画素回路、１００…モバイル型パーソナルコンピュータ。
【図１】
2005084196.tif 000003
【図２】
2005084196.tif 000004
【図３】
2005084196.tif 000005
【図４】
2005084196.tif 000006
【図５】
2005084196.tif 000007
【図６】
2005084196.tif 000008
【図７】
2005084196.tif 000009
【図８】
2005084196.tif 000010
【図９】
2005084196.tif 000011
【図１０】
2005084196.tif 000012